(57)【要約】【課題】河川流・潮流・海流を利用して発電を行う、全く新しい河川流・潮流・海流発電装置を提供する。【解決手段】河川流発電装置１は、永久磁石２を有する回転子３と、回転子３を略保密状に収容すると共に、河川の水流の中に設置される円環本体４と、円環本体４に巻かれたコイル５と、を備える。円環本体４には、円環本体４内に水流が環状に形成されるように水流導入口８と水流排出口９が形成されている。円環本体４内で形成された水流により回転子３が円環本体４内で環状に走行することで、コイル５内を永久磁石２が繰り返し通過し、電磁誘導の作用で発電が行われる。【選択図】図１１
2011252456.tif 000002
【特許請求の範囲】
【請求項１】
永久磁石を有する回転子と、
前記回転子を略保密状に収容すると共に、水流中に設置される環状管路と、
前記環状管路に巻かれた電気コイルと、
を備え、
前記環状管路には、前記環状管路内に水流が環状に形成されるように水流導入口と水流排出口が形成され、
前記環状管路内で形成された水流により前記回転子が前記環状管路内で環状に走行することで、前記電気コイル内を前記永久磁石が繰り返し通過し、電磁誘導の作用で発電が行われる、
河川流・潮流・海流発電装置。
【請求項２】
請求項１に記載の河川流・潮流・海流発電装置であって、
前記環状管路に形成された前記水流導入口に前記水流を加速させた上で導入するための水流加速手段を更に設けた、
河川流・潮流・海流発電装置。
【請求項３】
請求項２に記載の河川流・潮流・海流発電装置であって、
前記水流加速手段は、内部の流路断面積が前記水流導入口に近づくにつれて小さくなる管路によって構成されている、
河川流・潮流・海流発電装置。
【請求項４】
請求項１〜３の何れかに記載の河川流・潮流・海流発電装置であって、
前記回転子には、前記環状管路の前記水流導入口と対面可能であると共に前記水流を受け止めることが可能なフィンが設けられている、
河川流・潮流・海流発電装置。
【請求項５】
請求項１〜４の何れかに記載の河川流・潮流・海流発電装置であって、
前記環状管路の前記水流排出口に外部の水流が直接当たるのを抑制する水流排除手段を更に備えた、
河川流・潮流・海流発電装置。
【発明の詳細な説明】
【技術分野】
【０００１】
本発明は河川流・潮流・海流発電装置に関する。
【背景技術】
【０００２】
この種の技術として、特許文献１は、海峡などで潮流や海流として生じる水平な水の流れを利用することにより、翼車を介して発電を行えるようにした潮流・海流発電装置を開示している。
【０００３】
また、特許文献２は、潮流により回転するダリウス型水車と、ダリウス型水車の回転力により発電する発電機とを一体的に構成した潮流発電装置を開示している。
【０００４】
また、特許文献３は、水流中に振動柱を片持ち梁状に設置し、振動柱両側の水流下流側にカルマン渦列を発生させ、この下流側のカルマン渦列に引き寄せられて振動柱に揚力方向の応力を周期的に発生させ、この周期的な応力により振動柱の振動が継続的に励起され、その振動が圧電振動板に伝達され、圧電振動板が振動して継続的に発電を行う、流力振動を利用した圧電セラミックによる発電方法を開示している。
【先行技術文献】
【特許文献】
【０００５】
【特許文献１】特開２００９−１７４３８８号公報
【特許文献２】特許第４２８１２９１号公報
【特許文献３】特開２００６−１３２３９７号公報
【発明の概要】
【発明が解決しようとする課題】
【０００６】
本願発明の目的は、河川流・潮流・海流を利用して発電を行う、全く新しい河川流・潮流・海流発電装置を提供することにある。
【課題を解決するための手段】
【０００７】
本願発明の観点によれば、以下のように構成される河川流・潮流・海流発電装置が提供される。即ち、河川流・潮流・海流発電装置は、永久磁石を有する回転子と、前記回転子を略保密状に収容すると共に、水流中に設置される環状管路と、前記環状管路に巻かれた電気コイルと、を備え、前記環状管路には、前記環状管路内に水流が環状に形成されるように水流導入口と水流排出口が形成され、前記環状管路内で形成された水流により前記回転子が前記環状管路内で環状に走行することで、前記電気コイル内を前記永久磁石が繰り返し通過し、電磁誘導の作用で発電が行われる。◆即ち、河川流・潮流・海流を利用して発電を行うものとして、上記の構成は全く新しい。また、特許文献１〜３に開示の各発電装置と比較して、発電メカニズムがシンプルである。水流の動圧を直接利用して回転子を回転させているので、特許文献１、２に開示の技術と比較してエネルギ変換効率がよい。
【０００８】
好ましくは、河川流・潮流・海流発電装置には、前記環状管路に形成された前記水流導入口に前記水流を加速させた上で導入するための水流加速手段を更に設けた。◆以上の構成によれば、前記電気コイル内を前記永久磁石が一層高速に通過することになるので、前記電気コイルに発生する電圧を高めることができる。
【０００９】
好ましくは、前記水流加速手段は、内部の流路断面積が前記水流導入口に近づくにつれて小さくなる管路によって構成されている。◆以上の構成によれば、前記水流加速手段を簡素な構成で実現できる。
【００１０】
好ましくは、前記回転子には、前記環状管路の前記水流導入口と対面可能であると共に前記水流を受け止めることが可能なフィンが設けられている。◆以上の構成で、前記環状管路内で環状に走行している前記回転子が前記環状管路の前記水流導入口と対面したとき、前記水流は前記回転子の前記フィンに受け止められ、前記水流の動圧が前記フィンに作用する。従って、以上の構成によれば、前記環状管路内で環状に走行している前記回転子が前記環状管路の前記水流導入口と対面したときにも、前記回転子は、前記環状管路内で環状に走行するための駆動力を前記水流から得ることができる。
【００１１】
好ましくは、前記環状管路の前記水流排出口に外部の水流が直接当たるのを抑制する水流排除手段を更に備えた。◆以上の構成によれば、前記環状管路の前記水流排出口に外部の水流が直接当たることで前記環状管路の前記水流排出口からの前記水流の排出が阻害される、という問題を低減できる。
【発明の効果】
【００１２】
本願発明によれば、河川流・潮流・海流を利用して発電を行う、全く新しい河川流・潮流・海流発電装置が提供される。
【図面の簡単な説明】
【００１３】
【図１】図１は、本願発明の一実施形態に係る河川流発電装置の斜視図である。
【図２】図２は、河川流発電装置の一部切り欠き斜視図である。
【図３】図３は、河川流発電装置の一部切り欠き斜視図である。
【図４】図４は、河川流発電装置の平面断面図である。
【図５】図５は、円環本体の外周壁の内壁面の部分展開図である。
【図６】図６は、回転子の斜視図である。
【図７】図７は、図６に類似する図であって、回転子から天板等を取り外した状態を示す図である。
【図８】図８は、図７に示す回転子の平面図である。
【図９】図９は、図７の９−９線矢視断面図である。
【図１０】図１０（ａ）及び図１０（ｂ）は、河川流発電装置の作動説明図である。
【図１１】図１１（ｃ）及び図１１（ｄ）は、河川流発電装置の作動説明図である。
【図１２】図１２（ｅ）及び図１２（ｆ）は、河川流発電装置の作動説明図である。
【図１３】図１３（ｇ）は、河川流発電装置の作動説明図である。
【図１４】図１４は、図１に類似する図であって、円環本体から排出された水流をイメージした図である。
【発明を実施するための形態】
【００１４】
以下、図面を参照しつつ、本願発明の一実施形態を説明する。
【００１５】
図１〜図３に示すように本実施形態において河川流発電装置１（河川流・潮流・海流発電装置）は、略定常流と見做せる河川流（水流）の中に設置され、河川流が有する動圧（エネルギー）を直接利用して発電を行うものである。
【００１６】
河川流発電装置１は、図１〜図４、図６に示すように、永久磁石２を有する回転子３と、回転子３を略保密状に収容すると共に、河川流の中に設置される円環本体４（環状管路）と、円環本体４に巻かれたコイル５（電気コイル）と、を主たる構成として備えている。図１〜図４に示すように、河川流発電装置１は、更に、導水ダクト６（水流加速手段）と流れ遮蔽板７（水流排除手段）を備えて構成されている。本実施形態において円環本体４と導水ダクト６、流れ遮蔽板７は、例えば耐腐食性金属材料であるステンレスや強化プラスチックといった材料によって形成されている。
【００１７】
図１〜図４に示すように円環本体４は、環状に形成された角筒体（断面矩形状の筒体、その他の断面形状を有する筒体であってもよい。）であって、図４に示す内周壁４ａと外周壁４ｂ、図２に示す底板４ｃと天板４ｄによって構成されている。この円環本体４には、図１及び図４に示すように平面視で１２０度間隔に３箇所、コイル５が巻かれている。各コイル５は、図示しない電気線によって整流平滑回路等に接続されている。
【００１８】
図１〜図５に示すように円環本体４には、円環本体４内に水流が環状に形成されるように水流導入口８（水流導入口）と水流排出口９（水流排出口）が形成されている。具体的には、図３〜図５に示すように、水流導入口８と水流排出口９は、円環本体４の外周壁４ｂに若干の間隔をあけて形成されている。水流導入口８と水流排出口９は、図２及び図３、図５に示すように、スリット状に形成されている。図５に示すように、水流導入口８の流路断面積の合計（水流導入口の口面積）は、水流排出口９の流路断面積の合計（水流排出口の口面積）と比較して小さくなるように設定されている。
【００１９】
以上の構成で、河川流が水流導入口８から円環本体４内に流入し、水流排出口９から円環本体４外へと排出されることで例えば図１０（ａ）に示すように円環本体４内に環状の水流（円環流）が形成され、円環本体４内で形成された水流により回転子３が円環本体４内で環状に走行することで、コイル５内を永久磁石２が繰り返し通過し、電磁誘導の作用で発電が行われるようになっている。
【００２０】
図１〜図４に示す導水ダクト６は、円環本体４に形成された水流導入口８に河川の水流を加速させた上で導入するためのものである。換言すれば、導水ダクト６は、円環本体４に形成された水流導入口８に河川の水流を、動圧を高めた上で導入するためのものとも言える。この導水ダクト６は、角筒体（断面矩形状の筒体、その他の断面形状を有する筒体であってもよい。）であって、図１〜図４に示すように、水流排出口９と水流導入口８を挟んで反対側の位置で円環本体４の外周壁４ｂに接続された第１ダクト側壁６ａと、水流排出口９と水流導入口８の間の位置で円環本体４の外周壁４ｂに接続された第２ダクト側壁６ｂと、底板６ｃと、天板６ｄと、によって構成されている。そして、導水ダクト６は、図３及び図４に示すように、水流導入口８から離れるにつれて平面視で末広がりとなるように形成されている。言い換えれば、導水ダクト６は、水流導入口８に近づくにつれて内部の流路断面積が小さくなる管路によって構成されている。更には、図４に示すように、導水ダクト６の第１ダクト側壁６ａの内壁面６ｅと、第２ダクト側壁６ｂの内壁面６ｆは、何れも、円環本体４の外周壁４ｂの内壁面４ｅに対して円環本体４の平面視において略接線の関係となっている。この接線関係によれば、水流導入口８から円環本体４内に流入する水流に対して流入前から既にはっきりとした方向付けがなされるので、円環本体４内に形成された水流を問題なく滑らかに維持できるようになっている。
【００２１】
図１〜図４に示す流れ遮蔽板７は、円環本体４の水流排出口９に河川（外部）の水流が外側から直接当たるのを抑制するためのものである。図１及び図４に示すように、流れ遮蔽板７の基端部７ａは、水流導入口８と水流排出口９を挟んで反対側の位置で円環本体４の外周壁４ｂに接続されており、流れ遮蔽板７の先端部７ｂは、導水ダクト６の第２ダクト側壁６ｂの先端部６ｇに接続されている。この結果、図１及び図４に示すように、円環本体４の外周壁４ｂと、導水ダクト６の第２ダクト側壁６ｂと、流れ遮蔽板７と、は平面視で三角形の各辺を構成する関係となっており、この三角形内には図１に示す円環本体４の中心軸Cと平行な方向にのみ開放された淀み空間Gが形成される。
【００２２】
図６及び図７に示すように、回転子３は、中心軸Dを中心とするドーナッツを一部切り出したような形状となっている。回転子３は、永久磁石２と、永久磁石２を中心軸Dの軸方向に挟む一対のボス１０と、ボス１０の更に外側で永久磁石２を中心軸Dの軸方向に挟む底板１１及び天板１２と、内周壁１３と、背の低い複数の第１フィン１５（フィン）と、背の高い複数の第２フィン１６（フィン）と、を備えて構成されている。図６及び図７において回転子３の円環本体４内における走行方向Rを矢印で示した。本実施形態において回転子３は、走行方向Rの先端側と後端側で大きく構造を異にしている。図６及び図７の斜視図において手前側に描かれる回転子３の後端側は、永久磁石２と、一対のボス１０と、複数の第１フィン１５と、によって構成されている。図６及び図７の斜視図において奥側に描かれる回転子３の先端側は、内周壁１３と、複数の第２フィン１６と、によって構成されている。底板１１と天板１２は、永久磁石２と、一対のボス１０と、複数の第１フィン１５と、内周壁１３と、複数の第２フィン１６と、を中心軸Dの軸方向において挟み込むように配置されている。
【００２３】
永久磁石２は、図６〜図８に示すように、内周側永久磁石１７と、外周側永久磁石１８と、によって構成されている。内周側永久磁石１７はN極が中心軸D側となるように着磁されており、外周側永久磁石１８はS極が中心軸D側となるように着磁されている。従って、図８に示すように、永久磁石２の内周面２ａと外周面２ｂは共にN極となっている。図１０（ａ）に示すように永久磁石２の周方向長さを水流導入口８の周方向長さより短くすることで、後述するように、円環流が保持されるようになっている。
【００２４】
各ボス１０は、永久磁石２と底板１１の間、永久磁石２と天板１２の間、に夫々挿入されている。図８及び図９を比較して判る通り、ボス１０は永久磁石２よりも若干径方向で薄く形成されており、図９に示すボス１０の内周面１０ａが図８に示す永久磁石２の内周面２ａと同一面となるように配置されている。
【００２５】
図６及び図７に示すように、ボス１０の外周側であって、永久磁石２と底板１１の間、永久磁石２と天板１２の間に形成された隙間には複数の第１フィン１５が配置されている。図６及び図７、図９に示すように各第１フィン１５はボス１０と永久磁石２と底板１１（又は天板１２）に対して接続すると共に、図９に示す平面断面視で中心軸Dに近づくにつれて先端部１４（回転子３の先端側の端部）に近づくように傾斜し、そしてボス１０の外周面１０ｂに接続している。
【００２６】
図７〜図９に示すように、内周壁１３は、回転子３の内周寄りに配置された薄肉の板材であって、内周壁１３の内周面１３ａは永久磁石２の内周面２ａとボス１０の内周面１０ａに対して滑らかに接続した同一面となっている。内周壁１３は、図６に示すように、底板１１と天板１２に対して接触している。
【００２７】
図７〜図９に示すように、複数の第２フィン１６は、回転子３の外周寄りに配置されている。複数の第２フィン１６は、回転子３の円周方向に並べて配置されている。各第２フィン１６は、内周壁１３と同様、底板１１と天板１２に対して接触している。そして、図９に示す平面断面視のように、各第２フィン１６は、各第１フィン１５と同様、中心軸Dに近づくにつれて先端部に近づくように傾斜している。
【００２８】
図８及び図９に示すように、回転子３には、外周側と走行方向R側（先端部１４側）へ向かって開口する窪み部１９が形成されている。窪み部１９は、図８及び図９に示すように内周側は内周壁１３によって区画され、中心軸Dの軸方向では底板１１と天板１２によって区画され、走行方向Rの後端側は永久磁石２やボス１０によって区画されている。
【００２９】
以上の構成により、第１フィン１５及び第２フィン１６は、図１０（ａ）や図１３（ｇ）に示すように円環本体４の水流導入口８と対面可能であると共に、水流導入口８から円環本体４内へ流入してきた河川流を受け止めることができるようになっている。また、以上の構成により、窪み部１９は、図１０（ａ）や図１３（ｇ）に示すように円環本体４の水流導入口８と対面したときに円環本体４の水流導入口８に向かって開口すると共に前述した（"図１０（ａ）に示すように永久磁石２の周方向長さを水流導入口８の周方向長さより短くすること"）如く永久磁石２が水流導入口８を完全には閉塞することがないので、円環流も保持できるようになっている。なお、ここで「円環流を保持する」とは、水流導入口８からの給水が中断なく行えることを意味する。
【００３０】
（作動）
次に、図１０（ａ）〜図１３（ｇ）を参照しつつ、河川流発電装置１の作動を説明する。図１０（ａ）〜図１３（ｇ）に示すように、水流導入口８から円環本体４内に流入した水流は、円環本体４内で平面視時計回りに略一周した後、水流排出口９から円環本体４外へ排出される。図１０（ａ）〜図１３（ｇ）において白抜き矢印は回転子３を押す水流を示し、黒塗り矢印は、回転駆動された回転子３によって押された水流を示している（ただし、両者を厳密に使い分けているわけではない）。なお、図１０（ａ）〜図１３（ｇ）では説明の便宜上、コイル５は描いていない。
【００３１】
図１０（ａ）に示すように河川流発電装置１は、導水ダクト６を河川の上流側に向けた状態で河川内に設置される。導水ダクト６に取り込まれた水流は導水ダクト６内で加速した上で水流導入口８を通過する。図１０（ａ）では、回転子３の第１フィン１５及び第２フィン１６が水流導入口８に対面しているので、水流導入口８から円環本体４内に流入してきた水流は永久磁石２の第１フィン１５及び第２フィン１６によって受け止められる。即ち、回転子３は水流導入口８に対面した状態で、水流導入口８から円環本体４内に流入してきた水流から推進力を得る。また、図１０（ａ）の状態で、回転子３は、水流排出口９から排出される排水を後端面３ａで受け止めることで、水流排出口９から排出される排水から若干の推進力を得ている。
【００３２】
図１０（ｂ）は、図１０（ａ）の状態よりも回転子３が円環本体４内で時計回りに若干走行した状態を示している。図１０（ｂ）に示す状態で、回転子３は、水流導入口８から円環本体４内に流入した水流を後端面３ａ（図６を併せて参照）で受け止めることで、水流導入口８から円環本体４内に流入した水流から推進力を得ている。即ち、水流の動圧が円環本体４内における回転子３の走行の駆動力となっている。
【００３３】
また、図１０（ｂ）において符号Yで示す位置は、水流導入口８から円環本体４内に流入した水流と、水流排出口９から円環本体４外へ流出しようとしている水流と、が近接する位置である。二つの水流が位置Yで混在することで、円環本体４内に形成されている水流に乱れが生じることが考えられる。この問題については、図５に示すように、水流導入口８の流路断面積の合計を、水流排出口９の流路断面積の合計と比較して小さくなるように設定することで、ある程度、解消できるものと考えている。その根拠は、出口を大きくし、流体の排出量が確保されれば排出流体が水流導入口８側へ流れていく量が少なくなると共に流入流体が水流排出口９側へ流れていく量も少なくなるので、混流現象が生じにくくなるからである。
【００３４】
図１１（ｃ）は、図１０（ｂ）の状態よりも回転子３が円環本体４内で時計回りに若干走行した状態を示している。図１０（ｃ）に示す状態で、回転子３は、水流導入口８から円環本体４内に流入した水流を後端面３ａで受け止めることで、水流導入口８から円環本体４内に流入した水流から推進力を得ている。即ち、水流の動圧が円環本体４内における回転子３の走行の駆動力となっている。
【００３５】
図１１（ｄ）は、図１１（ｃ）の状態よりも回転子３が円環本体４内で時計回りに若干走行し、回転子３が水流排出口９に近接した状態を示している。図１０（ｄ）に示す状態で、回転子３は、水流導入口８から円環本体４内に流入した水流を後端面３ａで受け止めることで、水流導入口８から円環本体４内に流入した水流から推進力を得ている。即ち、水流の動圧が円環本体４内における回転子３の走行の駆動力となっている。
【００３６】
図１２（ｅ）は、図１１（ｄ）の状態よりも回転子３が円環本体４内で時計回りに若干走行し、回転子３が水流排出口９に対して若干対面している状態を示している。図１２（ｅ）に示す状態で、回転子３は、水流導入口８から円環本体４内に流入した水流を後端面３ａで受け止めることで、水流導入口８から円環本体４内に流入した水流から推進力を得ている。即ち、水流の動圧が円環本体４内における回転子３の走行の駆動力となっている。
【００３７】
図１２（ｆ）は、図１２（ｅ）の状態よりも回転子３が円環本体４内で時計回りに若干走行し、回転子３が水流排出口９に対して対面している状態を示している。図１２（ｆ）に示す状態で、窪み部１９の先端側は開放されているので窪み部１９に残留している水は、水流導入口８から円環本体４内へ新たに流入してきた河川流の動圧によって水流排出口９へと押し出される。回転子３の永久磁石２によって水流排出口９が閉塞されていくに従って、円環本体４内の水流の静圧は一時的に徐々に上昇する。
【００３８】
図１３（ｇ）は、図１２（ｆ）の状態よりも回転子３が円環本体４内で時計回りに若干慣性走行し、回転子３が水流排出口９を略閉塞すると共に、水流導入口８に対して若干対面している状態を示している。図１３（ｇ）に示すように、水流導入口８に回転子３の第２フィン１６が到達し、回転子３の第２フィン１６が推進力（駆動力）を発生し始めるタイミングで、回転子３の後端側で水流排出口９が開き始めることが回転子３の円環本体４内における滑らかな走行の継続に大きく寄与すると考える。また、図１２（ｆ）に示すように水流排出口９からの排水が一応は確保されている状態で図１３（ｇ）に示すように永久磁石２が水流排出口９を開き始めることが大切である。従って、永久磁石２の円弧の寸法は水流排出口９の円弧の寸法より短いことが必要となるなど、回転子３の寸法、永久磁石２の寸法、それに第１フィン１５や第２フィン１６の寸法は、水流導入口８及び水流排出口９の各種寸法と十分対比させた上で決定することが望ましい。なお、図１３（ｇ）では、（（水流排出口９の面積）―（永久磁石２の面積））が（水流導入口８の面積）を若干上回るか殆ど等しい状態となっている。
【００３９】
（まとめ）
（１）以上説明したように上記実施形態において河川流発電装置１は、図１〜図６に示すように、以下のように構成されている。即ち、河川流発電装置１は、永久磁石２を有する回転子３と、回転子３を略保密状に収容すると共に、河川の水流の中に設置される円環本体４と、円環本体４に巻かれたコイル５と、を備える。円環本体４には、円環本体４内に水流が環状に形成されるように水流導入口８と水流排出口９が形成されている。円環本体４内で形成された水流により回転子３が円環本体４内で環状に走行することで、コイル５内を永久磁石２が繰り返し通過し、電磁誘導の作用で発電が行われる。◆即ち、河川流を利用して発電を行うものとして、上記の構成は全く新しい。
【００４０】
また、特許文献１〜３に開示の各発電装置と比較して、発電メカニズムがシンプルである。装置が簡素であるから廉価で製造できるし、維持管理も容易である。特に、水中に連続回転軸がない、というところが維持管理のし易さに大きく貢献するものと考える。
【００４１】
また、定常流の動圧を直接利用して回転子３を円環本体４内で環状に走行させるものであるから、特許文献１や２に開示の技術と比較して、水流の動圧を電気エネルギーに変換するエネルギ変換効率がよい。
【００４２】
また、発電方式として電磁誘導を直接利用するものであるから、この点、高いレベルの発電効率が実現できる。
【００４３】
なお、上記実施形態において河川流発電装置１は、河川の水流の中に設置し、河川の水流の動圧を直接利用して発電を行うものとしたが、上記実施形態に具現化された技術コンセプトは、河川流発電装置１と略同じ型の発電装置を海流や潮流の水流の中に設置し、海流や潮流の水流の動圧を直接利用して発電を行うものとしてもよい。
【００４４】
（２）また、河川流発電装置１には、図１〜４に示すように、円環本体４に形成された水流導入口８に河川の水流を加速させた上で導入するための導水ダクト６を更に設けた。◆以上の構成によれば、コイル５内を永久磁石２が一層高速に通過することになるので、コイル５に発生する電圧を高めることができる。
【００４５】
なお、導水ダクト６の全長を長くして導水ダクト６に取り入れる河川の水流の流量を多くし、水流の動圧を高めると、回転子３の走行速度が上昇し、回転子３の慣性力を大きく確保することができる。回転子３の慣性力が高ければ高いほど、回転子３は円環本体４内で滑らかな環状走行を実現することができるようになる。また、回転子３の走行速度が高ければ高いほど、得られる発電量も高くなる。従って、一つの相関関係が存在し、即ち、河川流発電装置１の発電量が高いほど、回転子３はより滑らかな環状走行を継続している、ということができる。
【００４６】
（３）また、導水ダクト６は、図１〜図４に示すように、内部の流路断面積が水流導入口８に近づくにつれて小さくなる管路によって構成されている。◆このように導水ダクト６は簡素な構成で実現することができる。
【００４７】
（４）また、回転子３には、円環本体４の水流導入口８と対面可能であると共に河川の水流を受け止めることが可能な第１フィン１５及び第２フィン１６が設けられている。◆以上の構成で、円環本体４内で環状に走行している回転子３が円環本体４の水流導入口８と対面したとき、河川の水流は回転子３の第１フィン１５及び第２フィン１６に受け止められ、河川の水流の動圧が第１フィン１５及び第２フィン１６に作用する。従って、以上の構成によれば、円環本体４内で環状に走行している回転子３が円環本体４の水流導入口８と対面したときにも、回転子３は、円環本体４内で環状に走行するための駆動力を河川流から得ることができる。
【００４８】
（６）また、河川流発電装置１は、図１〜４に示すように、円環本体４の水流導入口８に外部の水流が直接当たるのを抑制する流れ遮蔽板７を更に備えている。◆以上の構成によれば、円環本体４の水流排出口９に外部の水流が直接当たることで円環本体４の水流排出口９からの水流の排出が阻害される、という問題を低減できる。
【００４９】
円環本体４の水流排出口９からの水流の排出は、図１４を参照されたい。図１４には、円環本体４の水流排出口９からの水流の排出を太線矢印でイメージしている。
【００５０】
以下、本願発明の好適な実施形態を説明したが、上記実施形態は例えば以下のように変更できる。
【００５１】
即ち、図９に示すように上記実施形態において第１フィン１５や第２フィン１６は、中心軸Dに向かうにつれて先端部１４に近づくように傾斜して形成されるとしたが、これに代えて、第１フィン１５や第２フィン１６は、中心軸Dを中心とした径方向に対して平行となるように形成されてもよい。第２フィン１６について言えば、図９に示すように傾斜して形成されることで、以下の効果を奏する。即ち、図１０（ａ）に示すように、第２フィン１６が水流導入口８に対して対面したとき、水流導入口８から円環本体４内に流入してきた河川流は、第２フィン１６間を通過し易くなる。このように河川流が第２フィン１６を通過し易いということは、河川流が第２フィン１６を通過しにくい場合と比較して、円滑な円環流に大いに寄与する。
【符号の説明】
【００５２】
１  河川流発電装置（河川流・潮流・海流発電装置）
２  永久磁石
３  回転子
４  円環本体（環状管路）
５  コイル（電気コイル）
６  導水ダクト（水流加速手段）
７  流れ遮蔽板（水流排除手段）
８  水流導入口
９  水流排出口
【図１】
2011252456.tif 000003
【図２】
2011252456.tif 000004
【図３】
2011252456.tif 000005
【図４】
2011252456.tif 000006
【図５】
2011252456.tif 000007
【図６】
2011252456.tif 000008
【図７】
2011252456.tif 000009
【図８】
2011252456.tif 000010
【図９】
2011252456.tif 000011
【図１０】
2011252456.tif 000012
【図１１】
2011252456.tif 000013
【図１２】
2011252456.tif 000014
【図１３】
2011252456.tif 000015
【図１４】
2011252456.tif 000016